(57)【要約】【課題】偶発的に発生する障害の原因となる光加入者線終端装置を検出することが可能な光加入者線端局装置およびその検出方法を提供すること。【解決手段】通信制御部１２は、２台の光加入者線終端装置からのフレームが衝突するように、送出開始時刻を含んだグラントフレームを生成して光送受信部１４を介して送信する。エラー監視部１５は、光送受信部１４を介して受信したフレームのエラーを検出し、エラーが検出されない場合に２台の光加入者線終端装置のいずれかが故障していると判定する。したがって、光加入者端局装置は、光加入者線終端装置の発光タイミングがずれるような偶発的に発生する故障を検出することが可能となる。【選択図】図１
2007158943.tif 000002
【特許請求の範囲】
【請求項１】
光加入者線終端装置との間でフレームを送受信する送受信手段と、
２台の光加入者線終端装置からのフレームが衝突するように、前記２台の光加入者線終端装置の発光タイミングを前記送受信手段を介して指示し、前記送受信手段を介して受信したフレームが衝突しているか否かによって前記２台の光加入者線終端装置の故障を検出する故障検出手段とを含む光加入者線端局装置。
【請求項２】
前記故障検出手段は、前記２台の光加入者線終端装置からのフレームが衝突するように、送出開始時刻を含んだグラントフレームを生成して前記送受信手段を介して送信する通信制御手段と、
前記送受信手段を介して受信したフレームのエラーを検出し、エラーが検出されない場合に前記２台の光加入者線終端装置のいずれかが故障していると判定するエラー監視手段とを含む、請求項１記載の光加入者線端局装置。
【請求項３】
前記エラー監視手段は、フレームのエラーレートが所定値以上の場合に、前記２台の光加入者線終端装置からのフレームが衝突していると判定する、請求項２記載の光加入者線端局装置。
【請求項４】
前記エラー監視手段は、前記送受信手段による受光レベルが所定値以下の場合に、前記２台の光加入者線終端装置からのフレームが衝突していると判定する、請求項２記載の光加入者線端局装置。
【請求項５】
前記エラー監視手段は、受光レベルまたは伝送距離に基づいて前記２台の光加入者線終端装置の組合わせを決定し、前記通信制御手段にグラントフレームを生成させる、請求項２〜４のいずれかに記載の光加入者線端局装置。
【請求項６】
前記エラー監視手段は、受光レベルが小さい順に、または伝送距離が遠い順に前記２台の光加入者線終端装置を決定し、前記通信制御手段にグラントフレームを生成させる、請求項２〜４のいずれかに記載の光加入者線端局装置。
【請求項７】
光加入者線終端装置の故障を検出する故障検出方法であって、
２台の光加入者線終端装置からのフレームが衝突するように、前記２台の光加入者線終端装置の発光タイミングを指示するステップと、
前記２台の光加入者線終端装置からのフレームが衝突しているか否かによって前記２台の光加入者線終端装置の故障を検出するステップとを含む、故障検出方法。
【発明の詳細な説明】
【技術分野】
【０００１】
本発明は、複数の宅側装置が媒体を共有してデータの伝送を行なう媒体共有型通信であるＰＯＮ（Passive Optical Network）に関し、特に、データをイーサネット（登録商標）フレームのまま伝送を行なうＥＰＯＮ（Ethernet（登録商標）PON）においてＯＮＵ（光加入者線終端装置）の故障を検出するＯＬＴ（光加入者線端局装置）およびその故障検出方法に関する。
【背景技術】
【０００２】
近年、インターネットが広く普及しており、利用者は世界各地で運営されているサイトの様々な情報にアクセスし、その情報を入手することが可能である。それに伴って、ＡＤＳＬ（Asymmetric Digital Subscriber Line）、ＰＯＮを含むＦＴＴＨ（Fiber To The Home）などのブロードバンドアクセスも広く普及してきている。
【０００３】
図３は、従来のＰＯＮシステムの概略構成を示すブロック図である。このＰＯＮシステムは、主に電話局などに設置されるＯＬＴ１００と、主に各宅内に設置される複数のＯＮＵ１１０−１〜１１０−５と、ＯＬＴ１００から送出される光信号を分岐してＯＮＵ１１０−１〜１１０−５に送出し、ＯＮＵ１１０−１〜１１０−５から送出される光信号を集束してＯＬＴ１００に送出する光カプラ１２３と、ＯＮＵ１１０−１〜１１０−５のそれぞれに接続されるユーザ端末１１５−１〜１１５−５とを含む。なお、ＯＮＵ１１０−１〜１１０−５は、それぞれ同じ構成を有しており、台数はこれに限定されない。
【０００４】
ＯＬＴ１００は、光ファイバ１２１を介して光カプラ１２３に接続される。ＯＮＵ１１０−１〜１１０−５のそれぞれは、光ファイバ１２２−１〜１２２−５を介して光カプラ１２３に接続される。また、ＯＮＵ１１０−１〜１１０−５のそれぞれは、ケーブル１２４−１〜１２４−５を介してユーザ端末１１５−１〜１１５−５に接続される。
【０００５】
図４は、ＰＯＮシステムにおける帯域の分散割当方式の一例を示す図である。この図は、ＯＮＵ数を３とした場合の帯域割当てと、ＯＬＴ−ＯＮＵ間のグラントおよびレポートの送受信とを示すシーケンス図である。
【０００６】
まず、ＯＬＴ１００は、各ＯＮＵのレポートの送出開始時刻を算出し、グラント１３１〜１３３に格納してＯＮＵ１１０−３、１１０−２および１１０−１に順次送出する。ＯＬＴ１００は、ＯＮＵ１１０−３、１１０−２および１１０−１からデータの送出要求量を含んだレポート１３４〜１３６を受信すると、最初にデータの送出を許可するＯＮＵ１１０−３のデータの送出開始時刻および送出許可量を算出し、グラント１３７に格納してＯＮＵ１１０−３に送出する。
【０００７】
次に、ＯＬＴ１００は、ＯＮＵ１１０−３から送出されるデータ１３８（１３８Ａ）を受信するとともに、これと並行してＯＮＵ１１０−２のデータの送出開始時刻および送出許可量を算出し、グラント１３９に格納してＯＮＵ１１０−２に送出する。なお、ＯＮＵ１１０−３から送出されるデータ１３８（１３８Ａ）には、次回の送出要求量を格納したレポートも含まれる。
【０００８】
次に、ＯＬＴ１００は、ＯＮＵ１１０−２から送出されるデータ１４０（１４０Ａ）を受信するとともに、これと並行してＯＮＵ１１０−１のデータの送出開始時刻および送出許可量を算出し、グラント１４１に格納してＯＮＵ１１０−１に送出する。なお、ＯＬＴ１００は、グラント１４１をＯＮＵ１１０−１に送出した後に、ＯＮＵ１１０−３に対するグラントを算出して送出する。また、ＯＮＵ１１０−２から送出されるデータ１４０（１４０Ａ）には、次回の送出要求量を格納したレポートも含まれる。
【０００９】
次に、ＯＬＴ１００は、ＯＮＵ１１０−１から送出されるデータ１４２（１４２Ａ）を受信する。なお、ＯＮＵ１１０−１から送出されるデータ１４２（１４２Ａ）には、次回の送出要求量を格納したレポートも含まれる。以降同様の処理が繰返され、ＯＬＴ１００は順次ＯＮＵ１１０−１〜１１０−３に対して帯域を割当てて、データの受信を繰返す。
【００１０】
このようなＰＯＮシステムにおいて、たとえば、ＯＮＵ１１０−１の回路が故障して、上りのタイミング制御がうまくいかなくなった場合、他のＯＮＵからの上りフレームと衝突することが起こり得る。この場合、故障したＯＮＵを特定してＰＯＮシステムから切り離し、システム全体を安定動作させる必要がある。このような技術に関連する発明として、以下の特許文献１〜２に開示されたものがある。
【００１１】
特許文献１に開示された光送受信装置においては、端末側の光送受信器が予め設定された期間以上連続して光信号を送信すると、その光信号の送信を停止させる光出力暴走防止回路を設けている。
【００１２】
また、特許文献２に開示されたＰＯＮシステムにおいては、親局が、複数の子局を１つずつ指定して、子局の発光をオフするコマンドを含めた信号を順次下り送信し、各子局はそのコマンドに基づいて自局の発光を次々とオフする。親局は、消光不良の子局がコマンドに基づいて自局を消光させると、今まで継続して受信されていた光信号が消滅することで、当該子局の故障であることを判別することができる。
【特許文献１】特開２００４−３２５４１号公報
【特許文献２】特開２００４−１１２７４６号公報
【発明の開示】
【発明が解決しようとする課題】
【００１３】
特許文献１に開示された発明は、回路の故障などによって発光期間が長くなり、別の子局の発光と衝突するといった障害を防止することができる。しかしながら、子局の回路の故障などによって発光開始タイミングがずれてしまい、別の子局の発光と衝突するといった偶発的に発生する障害を防止することはできない。なぜなら、このような障害は親局側においてのみ検出が可能だからである。
【００１４】
また、特許文献２に開示された発明は、回路の故障などによって常時発光状態となった子局を特定することは可能である。しかしながら、特許文献１と同様に、子局の回路の故障などによって発光開始タイミングがずれてしまい、別の子局の発光と衝突するといった偶発的に発生する障害を防止することはできない。
【００１５】
また、子局の光出力を止めて発光の衝突が発生したか否かを判定するため、この期間子局を使用不能とする必要がある。したがって、障害の発生原因が解明するまで、全子局に対して少なくとも一度は使用不能の状態にする必要がある。特に、衝突による障害が１日に数回しか起きないような場合、故障した子局を特定するために１日近く子局を使用不能にしなければならず、システム全体の効率が低下するといった問題点があった。
【００１６】
本発明は、上記問題点を解決するためになされたものであり、その目的は、偶発的に発生する障害の原因となる光加入者線終端装置を検出することが可能な光加入者線端局装置およびその検出方法を提供することである。
【課題を解決するための手段】
【００１７】
本発明のある局面に従えば、光加入者線端局装置は、光加入者線終端装置との間でフレームを送受信する送受信手段と、２台の光加入者線終端装置からのフレームが衝突するように、２台の光加入者線終端装置の発光タイミングを送受信手段を介して指示し、送受信手段を介して受信したフレームが衝突しているか否かによって２台の光加入者線終端装置の故障を検出する故障検出手段とを含む。
【００１８】
好ましくは、故障検出手段は、２台の光加入者線終端装置からのフレームが衝突するように、送出開始時刻を含んだグラントフレームを生成して送受信手段を介して送信する通信制御手段と、送受信手段を介して受信したフレームのエラーを検出し、エラーが検出されない場合に前記２台の光加入者線終端装置のいずれかが故障していると判定するエラー監視手段とを含む。
【００１９】
さらに好ましくは、エラー監視手段は、フレームのエラーレートが所定値以上の場合に、２台の光加入者線終端装置からのフレームが衝突していると判定する。
【００２０】
さらに好ましくは、エラー監視手段は、送受信手段による受光レベルが所定値以下の場合に、２台の光加入者線終端装置からのフレームが衝突していると判定する。
【００２１】
さらに好ましくは、エラー監視手段は、受光レベルまたは伝送距離に基づいて２台の光加入者線終端装置の組合わせを決定し、通信制御手段にグラントフレームを生成させる。
【００２２】
さらに好ましくは、エラー監視手段は、受光レベルが小さい順に、または伝送距離が遠い順に２台の光加入者線終端装置を決定し、通信制御手段にグラントフレームを生成させる。
【００２３】
本発明の別の局面に従えば、光加入者線終端装置の故障を検出する故障検出方法であって、２台の光加入者線終端装置からのフレームが衝突するように、２台の光加入者線終端装置の発光タイミングを指示するステップと、２台の光加入者線終端装置からのフレームが衝突しているか否かによって２台の光加入者線終端装置の故障を検出するステップとを含む。
【発明の効果】
【００２４】
本発明のある局面によれば、故障検出手段が、２台の光加入者線終端装置からのフレームが衝突するように、２台の光加入者線終端装置の発光タイミングを送受信手段を介して指示し、送受信手段を介して受信したフレームが衝突しているか否かによって２台の光加入者線終端装置の故障を検出するので、光加入者線終端装置の発光タイミングがずれるような偶発的に発生する故障を検出することが可能となる。
【００２５】
また、通信制御手段が、２台の光加入者線終端装置からのフレームが衝突するように、送出開始時刻を含んだグラントフレームを生成して送受信手段を介して送信するので、２台の光加入者線終端装置からのフレームが衝突するように、２台の光加入者線終端装置の発光タイミングを指示することが容易に行なえる。
【００２６】
また、エラー監視手段は、フレームのエラーレートが所定値以上の場合に、２台の光加入者線終端装置からのフレームが衝突していると判定するので、２台の光加入者線終端装置のいずれかが故障しているか否かを容易に判定することが可能となる。
【００２７】
また、エラー監視手段が、送受信手段による受光レベルが所定値以下の場合に、２台の光加入者線終端装置からのフレームが衝突していると判定するので、２台の光加入者線終端装置のいずれかが故障しているか否かを容易に判定することが可能となる。
【００２８】
また、エラー監視手段が、受光レベルまたは伝送距離に基づいて２台の光加入者線終端装置の組合わせを決定し、通信制御手段にグラントフレームを生成させるので、光加入者線終端装置の故障をより正確に判定することが可能となる。
【００２９】
また、エラー監視手段が、受光レベルが小さい順に、または伝送距離が遠い順に２台の光加入者線終端装置を決定し、通信制御手段にグラントフレームを生成させるので、故障している光加入者線終端装置を早く特定することができ、検査時間を短縮することが可能となる。
【発明を実施するための最良の形態】
【００３０】
図１は、本発明の実施の形態におけるＯＬＴの概略構成を示すブロック図である。このＯＬＴは、インターネットなどの上位ネットワークに接続される送受信部１１と、ＭＡＣ（Media Access Control）層のプロトコル制御などを行なう通信制御部１２と、シリアライザ・デシリアライザ（ＳＥＲＤＥＳ）１３と、ＯＮＵとの間でフレームの送受信を行なう光送受信部１４と、ＰＯＮにおける障害の有無を監視するエラー監視部１５とを含む。
【００３１】
本発明の実施の形態におけるＯＬＴは、ＯＮＵの発光開始タイミングがずれるような故障を検出するものであり、２台のＯＮＵからの上りフレームが同時にＯＬＴに到達するように意図的にＯＮＵの発光タイミングを制御して故障しているＯＮＵを特定する。
【００３２】
送受信部１１は、通信制御部１２に接続され、通信制御部１２から受けたデータを上位ネットワークに送信し、上位ネットワークから受信したデータを通信制御部１２に出力する。
【００３３】
光送受信部１４は、光ファイバを介してＯＮＵと接続され、受光したレーザ光を電気信号に変換して出力する受光部と、ＳＥＲＤＥＳ１３から受けた電気信号に従ってレーザを発光する発光部とを含む。受光部は、受光レベルを検出する機能を有している。
【００３４】
ＳＥＲＤＥＳ１３は、光送受信部１４に接続され、光送受信部１４から受けたシリアルの電気信号を１０ビットのパラレル信号に変換して通信制御部１２に出力し、通信制御部１２から受けた１０ビットのパラレル信号をシリアルの電気信号に変換して光送受信部１４に出力する。
【００３５】
また、ＳＥＲＤＥＳ１３は、グラント期間における同期期間に光送受信部１４から受けたシリアルの電気信号と同期を取る。この際、同期期間後のデータ転送期間前に同期が取れなかった場合には、同期が取れないことを示す同期エラー信号をエラー監視部１５に出力する。この同期エラー信号は、ＰＯＮに障害が発生したことを示す信号である。
【００３６】
通信制御部１２は、通信プロトコルを決定する機能を有し、ＳＥＲＤＥＳ１３から転送された１０ビットのパラレルデータを８ビットのパラレルデータに変換し、決定されたプロトコルに応じた変換を行なって送受信部１１に出力する。また、通信制御部１２は、送受信部１１から受けたデータに、決定されたプロトコルに応じた変換を行なって８ビットのパラレルデータを生成し、そのデータを１０ビットのパラレルデータに変換してＳＥＲＤＥＳ１３に出力する。
【００３７】
通常、通信制御部１２は、ＯＮＵからレポートフレームを受信すると、各ＯＮＵの上りフレームの送信タイミングが重ならないように帯域割当てを行ない、その情報を格納したグラントフレームを各ＯＮＵに送信する。また、通信制御部１２は、エラー監視部１５から２台のＯＮＵの上りフレームの送信タイミングが同じになるようにグラントフレームを生成するよう指示があれば、そのようなグラントフレームを生成して対応する２台のＯＮＵに送信する。このようにして、通信制御部１２は、２台のＯＮＵの上りフレームの送信を意図的に衝突させる機能も有している。
【００３８】
また、通信制御部１２は、受信したフレームの受信エラーを検出する。フレームの受信エラーは、フレームのエラーレートが所定のしきい値を超えたことにより検出される。通信制御部１２は、受信エラーが検出された場合には、受信エラー信号をエラー監視部１５に出力する。この受信エラー信号は、ＰＯＮに障害が発生したことを示す信号である。
【００３９】
また、通信制御部１２は、フレームの状態を監視する。フレームの状態には、フレームのエラーレート、ラウンドトリップタイム（ＲＴＴ）の変動を含む。通信制御部１２は、フレームのエラーレートが、受信エラーの判定に用いたしきい値よりも低いしきい値を超えた場合に、フレームデータを異常と判定する。また、通信制御部１２は、フレームのＲＴＴの変動が所定のしきい値を超えた場合に、フレームを異常と判定し、しきい値を超えない場合に正常と判定する。通信制御部１２は、フレームデータの状態をエラー監視部１５に出力する。
【００４０】
エラー監視部１５は、複数のＯＮＵから２台のＯＮＵの組を選択し、その２台のＯＮＵの上りフレームの送信タイミングが同じになるようにグラントフレームを生成するよう通信制御部１２に要求する。エラー監視部１５は、ＳＥＲＤＥＳ１３から同期エラー信号が入力された場合、または、通信制御部１２から受信エラー信号が入力された場合には、２つのＯＮＵ間で上りフレームの衝突が発生したものと判定する。
【００４１】
図２は、本発明の実施の形態におけるＯＬＴの処理手順を説明するためのフローチャートである。まず、エラー監視部１５は、通信制御部１２からの受信エラー信号が入力された否かによって、受信データ異常が発生したか否かを判定する（Ｓ１１）。受信データ異常が発生していない場合には（Ｓ１１，Ｎｏ）、ステップＳ１１の処理を繰返す。なお、ＳＥＲＤＥＳ１３からの同期エラー信号および通信制御部１２からの受信エラー信号が両方入力されている場合に、受信データ異常が発生していると判定してもよい。また、エラー監視部１５は、光送受信部１４によって検出された受光レベルが所定値以下の場合に、受信データ異常が発生していると判定してもよい。
【００４２】
受信データ異常が発生している場合（Ｓ１１，Ｙｅｓ）、エラー監視部１５は、検査を行なう２台のＯＮＵを選択する（Ｓ１２）。２台のＯＮＵを選択する方法として、任意に選択するようにしてもよいが、受光レベルが同程度のＯＮＵ、または伝送距離（時間）が同程度のＯＮＵを選択するようにすれば、より正確にＯＮＵの故障を検出することが可能となる。
【００４３】
次に、エラー監視部１５は、選択された２台のＯＮＵの上りフレームの送信タイミングが同じになるようにグラントフレームを生成するよう通信制御部１２に要求する。そして、光送受信部１４は、２台のＯＮＵに対してグラントフレームを送信する（Ｓ１３）。
【００４４】
光送受信部１４が２台のＯＮＵからのフレームを受信すると（Ｓ１４）、受信データ異常が発生しているか否かによって２台のＯＮＵの衝突を検出する（Ｓ１５）。そして、同じ２台のＯＮＵに対する検査をＮ回行なったか否かを判定する（Ｓ１６）。同じ２台のＯＮＵに対する検査をＮ回繰返していない場合（Ｓ１６，Ｎｏ）、ステップＳ１３に戻って以降の処理を繰返す。ここで、同じ２台のＯＮＵに対してＮ回検査を行なうのは、偶発的に発生する障害をより的確に検出し、試験結果に対する信頼性を高めるためである。
【００４５】
同じ２台のＯＮＵに対する検査をＮ回繰返した場合（Ｓ１６，Ｙｅｓ）、Ｎ回衝突が発生したか否かを判定する（Ｓ１７）。Ｎ回衝突が発生していなければ（Ｓ１７，Ｎｏ）、２台のＯＮＵのいずれかが故障していると判定し（Ｓ１８）、処理を終了する。故障が発生していない正常なＯＮＵからは、グラントによって指定した送信開始時刻にフレームが送られてくる。したがって、グラントによって指定した送信開始時刻にフレームを送信しなかったＯＮＵは、送信タイミングを正確に制御できていないとし、そのＯＮＵを故障ＯＮＵと判定する。
【００４６】
Ｎ回衝突が発生していれば（Ｓ１７，Ｙｅｓ）、２台のＯＮＵのいずれも正常であると判定し（Ｓ１９）、ステップＳ１２に戻って別の２台のＯＮＵを選択して同様の検査（Ｓ１３〜Ｓ１９）を行なう。ここで、検査する２台のＯＮＵの選択順序として、任意の順序で２台のＯＮＵを選択するようにしてもよいが、受光レベルの順（高い順または低い順）、伝送距離（時間）の順（短い順または長い順）に選択したりするようにすれば、検査時間を短縮することが可能となる。また、光加入者線終端装置に対する光の受光レベルが低いことは、誤発光を生じさせる原因となる。そのため、光レベルの小さい順、伝送距離の長い順で検査すれば、誤動作または故障した光加入者線終端装置を特定するまでの期間をより短縮することが可能となる。
【００４７】
さて、１日にどの程度検査を行なうかであるが、たとえば、１日の衝突回数Ｅｒが１０回／日程度である場合を考える。故障しているＯＮＵによる上りの通信回数をＮ回／日とすると、衝突確率は以下のようになる。
【００４８】
衝突確率＝Ｅｒ／Ｎ＝１０／Ｎ    …（１）
１日に検出できる障害の回数は、おおよそ以下のようになる。
【００４９】
障害検出回数＝衝突確率×検査回数    …（２）
したがって、１日に１回障害を検出するためには、以下のように１日にＮ／１０回程度検査を行なえばよいことになる。
【００５０】
検査回数＝障害検出回数／衝突確率＝Ｎ／１０    …（３）
検査に必要な通信時間をなるべく短く設定し、たとえば２μｓを想定する。３２台のＯＮＵの組を、たとえば（１，２）、（１，３）、（１，４）・・・（１，３２）の３１組とすると、１回の検査に６２μｓが必要となる。１ｍｓを３２台のＯＮＵに帯域割当てするとすれば、１０ｍｓに１回程度検査を行なえばよいため、通信時間のロスは以下のようになる。
【００５１】
通信時間のロス＝６２μｓ／１０ｍｓ＝０．６２％    …（４）
このように、通信時間のロスは０．６％程度であるので、実用上問題ないものと考えられる。また、上述したように、受光レベルが同程度のＯＮＵ、または伝送距離（時間）が同程度のＯＮＵを選択するようにすれば、１６組のＯＮＵを検査することで全てのＯＮＵの検査が行なえるので、通信時間のロスをさらに小さくすることができる。
【００５２】
以上説明したように、本実施の形態におけるＯＬＴによれば、意図的に２台のＯＮＵの上りフレームの送信タイミングが同じになるようにグラントフレームを生成してＯＮＵに送信するようにしたので、偶発的に発生する障害を検出することが可能となった。
【００５３】
また、ＯＮＵを使用不能とする必要がないので、サービスを継続して提供することが可能となった。また、検査による通信時間のロスを小さくすることができるので、ＰＯＮシステム全体の効率を低下させることなく、故障しているＯＮＵを特定することが可能となった。
【００５４】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５５】
【図１】本発明の実施の形態におけるＯＬＴの概略構成を示すブロック図である。
【図２】本発明の実施の形態におけるＯＬＴの処理手順を説明するためのフローチャートである。
【図３】従来のＰＯＮシステムの概略構成を示すブロック図である。
【図４】ＰＯＮシステムにおける帯域の分散割当方式の一例を示す図である。
【符号の説明】
【００５６】
１１  送受信部、１２  通信制御部、１３  ＳＥＲＤＥＳ、１４  光送受信部、１５  エラー監視部、１００  ＯＬＴ、１１０−１〜１１０−５  ＯＮＵ、１１５−１〜１１５−５  ユーザ端末、１２１，１２２−１〜１２２−５  光ファイバ、１２３  光カプラ、１２４−１〜１２４−５  ケーブル。
【図１】
2007158943.tif 000003
【図２】
2007158943.tif 000004
【図３】
2007158943.tif 000005
【図４】
2007158943.tif 000006